(57)【要約】【課題】  大きな操作パネルを備えている場合でも、前面の高さを大きくすることなく操作パネルを出し入れすることができる機器の操作器を提供する。【解決手段】  操作パネル１５をパネル箱１４内から出す際には、操作パネル１５を少し押し込んで係合部３１と係止部３２の係止状態を解除することにより、ばね２８の付勢力によって回動板２６が回動してパネル支持部２１が前方側に押されて、各ガイドピン２４、２５が上側に傾斜した上部ガイド溝２２と直線状の下部ガイド溝２３内をそれぞれ摺動しながら前方側に移動していくことによって、前面開口１８から出た操作パネル１５は、前方に移動しながら先端側が少しずつ下降して手前側を下げた傾斜状態で保持される。【選択図】      図１
2005195260.tif 000002
【特許請求の範囲】
【請求項１】
上面に操作面を有する操作パネルと、前面に設けた開口を通して前記操作パネルを出し入れ自在に収容するパネル箱とからなり、前記操作パネルの操作面が前記パネル箱内に収容される収容位置と前記操作パネルの操作面が前記開口を通して前記パネル箱の外に露出される露出位置との間で変位する機器の操作器において、
前記操作パネルの操作面が前記開口を通して前記パネル箱の外に露出されるときには手前側を下げた傾斜状態となる、
ことを特徴とする機器の操作器。
【請求項２】
上面に操作面を有する操作パネルと、前面に設けた開口を通して前記操作パネルを出し入れ自在に収容するパネル箱とからなり、前記操作パネルの操作面が前記パネル箱内に収容される収容位置と前記操作パネルの操作面が前記開口を通して前記パネル箱の外に露出される露出位置との間で変位する機器の操作器において、
前記操作パネルの操作面が前記パネル本体内に収容される時には前記操作面が上になるようにして前記操作パネルが略水平状態で収容され、前記操作パネルの操作面が前記開口を通して前記パネル箱の外に露出されるときには手前側を下げた傾斜状態となる、
ことを特徴とする機器の操作器。
【請求項３】
上面に操作面を有する操作パネルと、前面に設けた開口を通して前記操作パネルを出し入れ自在に収容するパネル箱と、前記操作パネルをその操作面が前記パネル箱内に収容される収容位置と前記操作面が前記開口を通して前記パネル箱の外に露出される露出位置との間で変位させる変位手段と、を備えた機器の操作器において、
前記変位手段は、前記操作パネルの操作面が前記パネル箱内に収容される時には前記操作面が上になるようにして前記操作パネルを略水平状態で収容し、前記操作パネルの操作面が前記開口を通して前記パネル箱の外に露出されるときには手前側を下げた傾斜状態とする、
ことを特徴とする機器の操作器。
【請求項４】
前記変位手段は、前記パネル箱の左右の側面に前後方向に沿って上下に形成された２本のガイド溝と、前記操作パネルの両側面から側方に突出し、前記２本のガイド溝にそれぞれ挿設されるガイドピンと、前記操作パネルを前記開口から出る方向に付勢する力を与える付勢部材と、を備え、前記上側に位置するガイド溝の先端側を漸次上向きに傾斜させ、前記下側に位置するガイド溝を略水平に形成した、
ことを特徴とする請求項３に記載の機器の操作器。
【請求項５】
前記下側に位置するガイド溝の先端を下向きの傾斜状とした、
ことを特徴とする請求項４に記載の機器の操作器。
【請求項６】
前記操作パネルと前記パネル箱の一方に設けられる係止部と他方に設けられる係合部とからなる係止手段を設け、前記操作パネルを前記パネル箱内に収容したときに前記係止手段で前記操作パネルを前記パネル箱内の収容位置に係止する、
ことを特徴とする請求項１から５のいずれか１項に記載の機器の操作器。
【請求項７】
前記操作パネルの前面に、前記操作パネルの操作面を前記パネル箱内に収容時に前記開口を閉じる前板を取り付けると共に、前記操作パネルの操作面を前記パネル箱内に収容したときの前記前板の下方に、前記前板の前面と略同一面となる飾り板を設けた、
ことを特徴とする請求項１から６のいずれか１項に記載の機器の操作器。
【請求項８】
前記操作パネルの操作面が前記パネル箱から出された露出状態の前記操作パネルの下面が、前記開口の下縁又は前記飾り板の上部に近接又は略当接する、
ことを特徴とする請求項項１から７のいずれか１項に記載の機器の操作器。
【発明の詳細な説明】
【技術分野】
【０００１】
本発明は、複数のスイッチ等を備えた操作パネルを有する機器の操作器に関し、特にスイッチ等の操作を行わないときには操作パネルが外に露出しないように収容可能な機器の操作器に関する。
【背景技術】
【０００２】
例えば、温調機能や調理タイマー機能などを有するガスこんろ等の調理器では、温調設定やタイマー設定を所望の設定条件に切り替えるための複数のスイッチ等を備えた操作パネルが調理器の前面操作部に設けられている。操作パネルに備えられているこれらのスイッチ等は不用意に触れられないために等の理由で、操作パネルのスイッチ等を操作しないときには、操作パネルを回動させて前面操作部の内側に収容するようにしたものが知られている（例えば、特許文献１参照。）。
【０００３】
上記特許文献１のような操作パネル（操作盤）を有する操作器は、上部に操作パネルを設けた操作パネル枠体の下端側が回動軸に支持されている。
【特許文献１】特開平３−２３３２２６号公報
【発明の開示】
【発明が解決しようとする課題】
【０００４】
ところで、上記特許文献１のような下端側に設けた回動軸を回動中心にして操作パネルが回動される回動機構では、操作パネルが回動しながら出し入れされる為、操作器の前面開口の高さ方向の寸法は大きくなる。特に、操作パネルの操作面に多数のボタンや表示部等が備えられることにより操作面が大きくなり、大きな操作面を全部露出させるためには操作面から回転軸までの寸法が大きくなることになり、操作器の前面開口の高さを大きくする必要があるので操作器全体が大型化してしまう。
【０００５】
また、操作器の前面開口が大きくなると、ガスこんろ等の調理器の前面操作部にこのような操作器を組み込む場合には、前面操作部での設置スペースを確保するために前面操作部の高さを高くする必要がある。
【０００６】
そこで本発明は、大きな操作面を備えている場合でも前面の高さを大きくすることなく操作パネルを出し入れすることができる機器の操作器を提供することを目的とする。
【課題を解決するための手段】
【０００７】
上記目的を達成するために請求項１に記載の発明は、上面に操作面を有する操作パネルと、前面に設けた開口を通して前記操作パネルを出し入れ自在に収容するパネル箱とからなり、前記操作パネルの操作面が前記パネル箱内に収容される収容位置と前記操作パネルの操作面が前記開口を通して前記パネル箱の外に露出される露出位置との間で変位する機器の操作器において、前記操作パネルの操作面が前記開口を通して前記パネル箱の外に露出されるときには手前側を下げた傾斜状態となることを特徴としている。
【０００８】
また、請求項２に記載の発明は、上面に操作面を有する操作パネルと、前面に設けた開口を通して前記操作パネルを出し入れ自在に収容するパネル箱とからなり、前記操作パネルの操作面が前記パネル箱内に収容される収容位置と前記操作パネルの操作面が前記開口を通して前記パネル箱の外に露出される露出位置との間で変位する機器の操作器において、前記操作パネルの操作面が前記パネル本体内に収容される時には前記操作面が上になるようにして前記操作パネルが略水平状態で収容され、前記操作パネルの操作面が前記開口を通して前記パネル箱の外に露出されるときには手前側を下げた傾斜状態となることを特徴としている。
【０００９】
また、請求項３に記載の発明は、上面に操作面を有する操作パネルと、前面に設けた開口を通して前記操作パネルを出し入れ自在に収容するパネル箱と、前記操作パネルをその操作面が前記パネル箱内に収容される収容位置と前記操作面が前記開口を通して前記パネル箱の外に露出される露出位置との間で変位させる変位手段と、を備えた機器の操作器において、前記変位手段は、前記操作パネルの操作面が前記パネル箱内に収容される時には前記操作面が上になるようにして前記操作パネルを略水平状態で収容し、前記操作パネルの操作面が前記開口を通して前記パネル箱の外に露出されるときには手前側を下げた傾斜状態とすることを特徴としている。
【００１０】
また、前記変位手段は、前記パネル箱の左右の側面に前後方向に沿って上下に形成された２本のガイド溝と、前記操作パネルの両側面から側方に突出し、前記２本のガイド溝にそれぞれ挿設されるガイドピンと、前記操作パネルを前記開口から出る方向に付勢する力を与える付勢部材と、を備え、前記上側に位置するガイド溝の先端側を漸次上向きに傾斜させ、前記下側に位置するガイド溝を略水平に形成したことを特徴としている。
【００１１】
また、前記下側に位置するガイド溝の先端を下向きの傾斜状としたことを特徴としている。
【００１２】
また、前記操作パネルと前記パネル箱の一方に設けられる係止部と他方に設けられる係合部とからなる係止手段を設け、前記操作パネルを前記パネル箱内に収容したときに前記係止手段で前記操作パネルを前記パネル箱内の収容位置に係止することを特徴としている。
【００１３】
また、前記操作パネルの前面に、前記操作パネルの操作面を前記パネル箱内に収容時に前記開口を閉じる前板を取り付けると共に、前記操作パネルの操作面を前記パネル箱内に収容したときの前記前板の下方に、前記前板の前面と略同一面となる飾り板を設けたことを特徴としている。
【００１４】
また、前記操作パネルの操作面が前記パネル箱から出された露出状態の前記操作パネルの下面が、前記開口の下縁又は前記飾り板の上部に近接又は略当接することを特徴としている。
【発明の効果】
【００１５】
本発明によれば、操作パネルは引出し式で、操作面が露出された状態では先端側が下がる傾斜状態となるので、操作器の高さを低くできると共に、操作性も良い。更に、操作パネルをパネル箱内に収容時には操作面が上になるようにして水平状態でパネル箱に保持し、操作パネルを開口を通してパネル箱の外に移動させて露出させたときには手前側を下げた傾斜状態で操作パネルを保持することにより、パネル箱を水平状態に機器に設定できて、デットスペースを生じることなく取付けられる。更に、操作パネルの操作面の視認性と操作性の向上を図ることができる。
【発明を実施するための最良の形態】
【００１６】
以下、本発明を図示の実施形態に基づいて説明する。
【００１７】
図１は、本発明の実施形態に係る操作器を組み込んだ機器としてのガステーブルを示す斜視図である。このガステーブル１は、天板２に形成した開口に２つのガスバーナ３、４が設けられ、ガスバーナ３と４の間の下方にグリルＧが設けられている。
【００１８】
前面操作面５の中央には、グリルＧの前面開口を開閉するグリル扉６が設けられており、グリル扉６の両側には、ガスバーナ３、４とグリルＧの点火・消火の操作をそれぞれ行う点火・消火ボタン７、８、９と、ガスバーナ３、４とグリルＧの火力をそれぞれ調整する火力調整レバー１０、１１、１２が配置され、更に、右側の点火・消火ボタン８、９の下に、本発明の実施形態に係る操作器１３が一体的に組み込まれている。
【００１９】
操作器１３には、図２、図３、図４に示すように、扁平箱状のパネル箱１４をガステーブル１内に水平状態で取付け、このパネル箱１４内の上部側にパネル箱１４の上面１４ｂと略平行状態で水平状態に収容される操作パネル１５が出し入れ自在に配置されている。操作パネル１５の上面の操作面１５ａには、例えばガスバーナ３、４又はグリルＧで調理する際の温調設定やタイマー設定を行う複数（図では３つ）のボタン１６ａ、１６ｂ、１６ｃや、温度・時間切換えボタン１６ｄや設定したタイマー時間や温度を表示する表示部１７などが設けられている。各ボタン１６ａ、１６ｂ、１６ｃは軽く押圧する操作により、温調設定やタイマー設定を所望の設定条件に切換えることができる。
【００２０】
操作パネル１５の前面には、操作パネル１５を出し入れするパネル箱１４の前面開口１８を閉じる前面板１９が取付けられている。パネル箱１４の前面下部、更に詳細には上記前面開口１８の下方には、前面板１９の厚みと略同じ厚みの飾り板２０が取付けられており、操作パネル１５をパネル箱１４内に略水平状態で収容したときに、前面板１９と飾り板２０の前面が同一面となるようにしている。更に、これらの前面は前面操作面５とも略同一面となっている。また、操作パネル１５の後部には、その幅方向（左右方向）に沿ってパネル支持部２１が一体的に形成されている。
【００２１】
パネル箱１４の左右の側面には、その前後方向に沿って上部ガイド溝２２と下部ガイド溝２３がそれぞれ近接して設けられている。上部ガイド溝２２と下部ガイド溝２３には、操作パネル１５のパネル支持部２１の両側面にそれぞれ形成した突起状のガイドピン２４、２５が摺動可能にそれぞれ入れられており、操作パネル１５を上部ガイド溝２２と下部ガイド溝２３に沿ってパネル箱１４の前後方向に収容位置と露出位置との間に変位可能に支持している。
【００２２】
上部ガイド溝２２は、パネル箱１４の前側に向かうに従い漸次上向きに傾斜するように形成されており、下部ガイド溝２３は、パネル箱１４の前側に向けて上部ガイド溝２２の前端よりも前方に伸びてパネル箱１４内の上面１４ｂと略平行に形成され、先端部で少し下っている先端傾斜部２３ａを有している。また、上部ガイド溝２２に入るガイドピン２４は、パネル支持部２１の後端中央部の両側に設けられており、下部ガイド溝２３に入るガイドピン２５は、パネル支持部２１の前端下部の両側に設けられている。
【００２３】
パネル箱１４の底面１４ａには、薄板状の回動板２６の左右下端部を軸着した軸２７が取付けられており、軸２７には回動板２６を前方に向けて常に付勢するためのコイル状のばね２８が巻装されている。ばね２８の一方から延びた先端部２８ａは回動板２６の後面に係止され、他方から延びた先端部２８ｂはパネル箱１４の底面１４ａの外側に係止されて、回動板２６を軸２７として上部を前方側に付勢して操作パネル１５の背面に当接して、操作パネル１５を前面開口１８から出る方向に付勢している。また、回動板２６の一方の側端面（紙面方向手前側）には、パネル箱１４の底面１４ａ上に回転自在に設けた減速用歯車２９と噛み合う歯車列３０が一体的に形成されている。
【００２４】
パネル支持部２１の後面に形成した切欠き部２１ａには、パネル箱１４内の後部に設けた係合部３１に係止される係止部３２が設けられている。係合部３１は、開閉自在な一対の爪部３１ａと、該一対の爪部３１ａを後退位置に保持する保持ピン３３とハートカム溝３４を備えている。保持ピン３３は一対の爪部３１ａを先端に備えた移動体３５に植立されており、ハートカム溝３４はパネル箱１４に固定されている。移動体３５の後面には、移動体３５を前方に付勢するためのばね３６が設けられている。
【００２５】
そして、操作パネル１５の操作面１５ａを収納させるため前面板１９を押して操作パネル１５を押し込むと、その係止部３２が係合部３１に当たり、更に押し続けると、移動体３５はばね３６に抗して後退しハートカム溝３４の後端部に当たる。ここで手を離すと移動体３５はばね３６の付勢力により前方に移動しようとするが、保持ピン３３がハートカム溝３４の中間部３４ａに係止されるので、移動体３５は止まる。このとき、一対の爪部３１ａは奥に入り閉じられることによって係止部３２を掴んでいるので、操作パネル１５は収容位置に係止される。
【００２６】
そして、操作パネル１５を露出位置に出すときには、前面板１９を押すと保持ピン３３はハートカム溝３４の中間部３４ａから外れて一旦もう一方のハートカム溝３４に達し、押すことを止めると移動体３５が前方に出る。このとき、一対の爪部３１ａは開くので、係止部３２を掴むことができず操作パネル１５は前方に移動して、操作面１５ａが露出される。なお、係止部３２と係合部３１は逆に取付けてもよく、これらが保持手段を構成している。
【００２７】
次に、上記したガステーブル１の前面操作面５に組み込まれた操作器１３における操作パネル１５の出し入れ動作について説明する。最初に、パネル箱１４内の上部側にその上面１４ｂと略平行状態の水平状態で収容されている操作パネル１５を前面操作面５に露出させるときの動作について説明する。
【００２８】
図２に示すように、操作パネル１５がパネル箱１４内に収容されている状態では、係止部３２が係合部３１に係止されており、操作パネル１５がパネル箱１４内に略水平状態に保持されている。そして、使用者が前面板１９をばね２８の力に抗して触れて軽く押し込むことにより、係合部３１に係止されている係止部３２の係止状態が上述したように解除される。前面板１９の後面と飾り板２０の前面との間には少し隙間Ａが設けられていて、前面板１９を押す際の逃げとなっている。
【００２９】
そして、ばね２８のばね力による付勢力によって、回動板２６は軸２７を回動中心として前方側に回動する。この際、歯車列３０が減速用歯車２９とともに回動することによって、回動板２６は緩やかに回動する。そして、パネル支持部２１が、回動板２６の緩やかな回動とともに前方側に押されることによって前方側に移動していき、操作パネル１５が前面開口１８から出てくる。
【００３０】
そして、回動板２６が更に回動してパネル支持部２１が前方に押されると、上部ガイド溝２２の前方側が漸次上向きに傾斜しているので、その両側のガイドピン２４が上部ガイド溝２２に沿って斜め上向きに摺動しながら移動していく。これにより、パネル支持部２１の後端側がガイドピン２４の移動とともに少し持ち上がるので、操作パネル１５は先端側が下がり状態となりつつ出てくる。
【００３１】
なお、下部ガイド溝２３の先端に、先端側が下がっている先端傾斜部２３ａを有しているので、下部ガイド溝２３に沿って直線的に移動してきたガイドピン２５は下部ガイド溝２３の先端傾斜部２３ａを下ることになり、操作パネル１５はより先端側が下り状態になり易い。
【００３２】
図３、図４に示すように、各ガイドピン２４、２５が上部ガイド溝２２と下部ガイド溝２３内の先端にそれぞれ当接するとき、操作パネル１５の操作面１５ａ全体が前面開口１８から露出すると共に、先端側が所定角度（図では１３度程度）下がった状態で位置決めされて保持される。なお、操作パネル１５の下向きの角度は、上部ガイド溝２２の上向きの傾斜角度を変えることによって調整することができる。また、下部ガイド溝２３の先端傾斜部２３ａによって操作パネル１５の不用意な奥方向へ押されることが防止される。
【００３３】
即ち、操作パネル１５を下向きに約１０°〜２０°の傾斜をつけることによって、使用者は操作パネル１５を斜め上方から見ながらボタン１６ａ、１６ｂ、１６ｃ、１６ｄを押す操作を行うことができ、操作がし易く、かつ操作パネル１５の操作面１５ａが見やすくなる。
【００３４】
また、操作パネル１５が前面開口１８から出た露出位置のときに、操作パネル１５の後側下面が前面開口１８の周囲縁の下縁又は飾り板２０の上面に近接又は略当接させるようにすることにより、使用者が操作パネル１５の操作面１５ａや前面板１９に不用意に接触したり、各スイッチ１６ａ、１６ｂ、１６ｃ、１６ｄを強く押した場合でも、操作パネル１５にかかる上方からの力を受止めることができるので、上下ガイド溝２２、２３とガイドピン２４、２５の当接だけで操作パネル１５の露出位置が保持されるよりも、より確実に露出位置が保持される。
【００３５】
そして、出されている操作パネル１５をパネル本体１４内に収容する場合には、ばね２８のばね力に抗して前面板１９を前方から押し込むことにより、上記移動動作と逆の移動動作によってパネル本体１４内に操作パネル１５が押し込まれていく。そして、操作パネル１５がパネル本体１４内の元の位置に収容されると、係止用突起片３２が係止部材３１に係止されて保持され、前面開口１８が前面板１９で閉じられる。
【００３６】
このように、上記した本発明の実施形態に係る操作器１３では、操作面１５ａが露出された状態では先端側が下がる傾斜状態となるので、操作器１３の高さを低くできると共に、操作性が良い。更に、操作パネル１５をパネル箱１４内に収容時には操作面１５ａが上になるようにして水平状態でパネル箱１４に保持し、操作パネル１５を開口を通してパネル箱１４の外に移動させて露出させたときには手前側を下げた傾斜状態で操作パネル１５を保持することにより、パネル箱１４を水平状態にガステーブルに設定できて、デットスペースを生じることなく取付けられる。更に、操作パネル１５の操作面１５ａの視認性と操作性の向上を図ることができる。
【００３７】
また、上記した本発明の実施形態では、ガステーブル１に組み込まれる操作器１３を示したが、機器としてはガステーブルに限定されることはなく、他の調理器や電気製品などの各種の機器であってもよい。
【図面の簡単な説明】
【００３８】
【図１】本発明の実施形態に係る操作器が組み込まれたガステーブルを示す概略斜視図。
【図２】本発明の実施形態に係る操作器を示す概略斜視図。
【図３】本発明の実施形態に係る操作器から操作パネルを出した状態を示す一部破断した概略斜視図。
【図４】本発明の実施形態に係る操作器から操作パネルを出した状態を示す一部破断した概略断面図。
【符号の説明】
【００３９】
１        ガステーブル
３、４    ガスバーナ
５        前面操作面
６        グリル扉
７、８、９        点火・消火ボタン
１３      操作器
１４      パネル箱
１５      操作パネル
１６ａ、１６ｂ、１６ｃ、１６ｄ        スイッチ
１７      表示部
１８      前面開口
１９      前面板
２１      パネル支持部
２２      上ガイド部材
２３      下ガイド部材
２４、２５      ガイドピン
２６      回動板
２８      ばね
２９      減速用歯車
３０      歯車列
３１      係合部
３２      係止部
【図１】
2005195260.tif 000003
【図２】
2005195260.tif 000004
【図３】
2005195260.tif 000005
【図４】
2005195260.tif 000006